(57)【要約】【課題】移動局がハンドオーバに費やす時間と電力を軽減する。【解決手段】移動局３００にハンドオーバの必要が生じると、センタ装置１００が移動局３００の現在の位置情報と過去の位置情報に基づいて、ハンドオーバの可能性が高い基地局の候補リストを作成し、これをハンドオーバする前に接続していた基地局ＮＧＰ−ＣＳ１に送信する。そして、これを受信した基地局ＮＧＰ−ＣＳ１は、候補リストを保持し、優先順位の高い候補基地局を１つだけ移動局３００に通知し、移動局３００は通知された候補基地局に対してハンドオーバの要求を行う。そして、その要求が候補基地局に受け入れられれば、その候補基地局にハンドオーバし、上記要求が受け入れられなければ、別の候補基地局の情報を、再び基地局ＮＧＰ−ＣＳ１から取得して、ハンドオーバを試みるようにしたものである。【選択図】      図１
2008227760.tif 000002
【特許請求の範囲】
【請求項１】
ネットワークに収容される複数の基地局と、この基地局と無線通信して前記ネットワークを通じた通信を行う移動局と、この移動局の位置情報を管理する制御局とを備えた移動通信システムにおいて、
前記制御局は、
移動局の位置情報に基づいて、前記移動局がハンドオーバする候補となる基地局を検出する候補検出手段と、
前記基地局を通じて、前記候補検出手段が検出した基地局の識別情報を前記移動局に送信する候補送信手段とを備え、
前記移動局は、
前記基地局を通じて、前記制御局から基地局の識別情報を受信する候補受信手段と、
ハンドオーバを行う必要が生じた場合に、前記候補受信手段が受信した識別情報で示される基地局に、ハンドオーバの要求を行うハンドオーバ手段とを備えることを特徴とする移動通信システム。
【請求項２】
前記候補検出手段は、前記移動局の位置情報に基づいて移動方向を求め、この求めた移動方向に基づいて、前記移動局がハンドオーバする候補となる基地局を検出することを特徴とする請求項１に記載の移動通信システム。
【請求項３】
前記複数の基地局は、前記移動局との無線通信に用いる通信方式として、第１通信方式を採用するものと第２通信方式を採用するものが存在し、
前記候補検出手段は、前記移動局が通信に用いている通信方式を採用する基地局のうち、前記移動局の位置情報に基づいて、前記移動局がハンドオーバする候補となる基地局を検出することを特徴とする請求項１に記載の移動通信システム。
【請求項４】
前記複数の基地局は、前記移動局との無線通信に用いる通信方式として、第１通信方式を採用するものと第２通信方式を採用するものが存在し、
前記候補検出手段は、前記移動局の位置情報に基づいて、前記移動局が通信に用いている通信方式を採用する基地局を優先して、前記移動局がハンドオーバする候補となる基地局を検出することを特徴とする請求項１に記載の移動通信システム。
【請求項５】
ネットワークに収容される複数の基地局と、この基地局と無線通信して前記ネットワークを通じた通信を行う移動局とを備える移動通信システムで、前記移動局の位置情報を管理する制御装置であって、
移動局の位置情報に基づいて、前記移動局がハンドオーバする候補となる基地局を検出する候補検出手段と、
前記基地局を通じて、前記候補検出手段が検出した基地局の識別情報を前記移動局に送信する候補送信手段とを具備することを特徴とする制御装置。
【請求項６】
前記候補検出手段は、前記移動局の位置情報に基づいて移動方向を求め、この求めた移動方向に基づいて、前記移動局がハンドオーバする候補となる基地局を検出することを特徴とする請求項５に記載の制御装置。
【請求項７】
前記複数の基地局は、前記移動局との無線通信に用いる通信方式として、第１通信方式を採用するものと第２通信方式を採用するものが存在し、
前記候補検出手段は、前記移動局が通信に用いている通信方式を採用する基地局のうち、前記移動局の位置情報に基づいて、前記移動局がハンドオーバする候補となる基地局を検出することを特徴とする請求項５に記載の制御装置。
【請求項８】
前記複数の基地局は、前記移動局との無線通信に用いる通信方式として、第１通信方式を採用するものと第２通信方式を採用するものが存在し、
前記候補検出手段は、前記移動局の位置情報に基づいて、前記移動局が通信に用いている通信方式を採用する基地局を優先して、前記移動局がハンドオーバする候補となる基地局を検出することを特徴とする請求項５に記載の制御装置。
【請求項９】
ネットワークに収容される複数の基地局と選択的に無線通信する移動無線端末装置において、
前記基地局を通じて、ハンドオーバの候補となる基地局の識別情報を受信する候補受信手段と、
ハンドオーバを行う必要が生じた場合に、前記候補受信手段が受信した識別情報で示される基地局に、ハンドオーバの要求を行うハンドオーバ手段とを具備することを特徴とする移動無線端末装置。
【請求項１０】
ネットワークに収容される複数の基地局と選択的に無線通信する移動無線端末装置において、
前記基地局を通じて、ハンドオーバの候補となる複数の基地局の識別情報を受信する候補受信手段と、
ハンドオーバを行う必要が生じた場合に、前記候補受信手段が受信した識別情報で示される基地局に、ハンドオーバの要求を行うハンドオーバ要求手段と、
このハンドオーバ要求手段の要求を受け付けた基地局から、ハンドオーバを受け入れる応答を受信する応答受信手段と、
この応答受信手段が応答を受信した基地局に、ハンドオーバを行うハンドオーバ手段とを具備することを特徴とする移動無線端末装置。
【発明の詳細な説明】
【技術分野】
【０００１】
この発明は、例えばPHS(Personal Handyphone System)などの移動通信システムに関する。
【背景技術】
【０００２】
周知のように、従来の移動通信システムでは、ハンドオーバの必要が生じた移動局は、周辺基地局リストに基づいて周辺の基地局からそれぞれ送信される電波を受信して、最も良好な受信品質が得られる基地局を検出し、その基地局にハンドオーバを行うようにしている（例えば、特許文献１参照）。
【０００３】
しかしながら、上記構成による従来の移動通信システムでは、候補となる複数の基地局からそれぞれ電波を受信して受信品質を比較する必要があるため、ハンドオーバに時間がかかるだけでなく、大きな電力を消費するという問題があった。
【特許文献１】特開２００４−２４２１３９公報。
【発明の開示】
【発明が解決しようとする課題】
【０００４】
従来の移動通信システムでは、候補となる複数の基地局からそれぞれ電波を受信して受信品質を比較する必要があるため、ハンドオーバに時間がかかるだけでなく、大きな電力を消費するという問題があった。  
この発明は上記の問題を解決すべくなされたもので、移動局がハンドオーバに費やす時間と電力を軽減する移動通信システム、制御装置および移動無線端末装置を提供することを目的とする。
【課題を解決するための手段】
【０００５】
上記の目的を達成するために、この発明は、ネットワークに収容される複数の基地局と、この基地局と無線通信して前記ネットワークを通じた通信を行う移動局と、この移動局の位置情報を管理する制御局とを備えた移動通信システムにおいて、制御局は、移動局の位置情報に基づいて、移動局がハンドオーバする候補となる基地局を検出する候補検出手段と、基地局を通じて、候補検出手段が検出した基地局の識別情報を移動局に送信する候補送信手段とを備え、移動局は、基地局を通じて、制御局から基地局の識別情報を受信する候補受信手段と、ハンドオーバを行う必要が生じた場合に、候補受信手段が受信した識別情報で示される基地局に、ハンドオーバの要求を行うハンドオーバ手段とを具備して構成するようにした。
【発明の効果】
【０００６】
以上述べたように、この発明では、移動局の位置情報を管理する制御局が、移動局の位置情報に基づいて、移動局がハンドオーバする候補となる基地局を検出してこれを基地局を通じて移動局に送信し、これに対して、移動局は、ハンドオーバを行う必要が生じた場合に、制御局から受信した識別情報で示される基地局に、ハンドオーバの要求を行うようにしている。
【０００７】
したがって、この発明によれば、移動局がハンドオーバに適した基地局を多数探索しなくても、ハンドオーバに好適する基地局が移動局に通知されるので、移動局がハンドオーバに費やす時間と電力を軽減することが可能な移動通信システムを提供できる。
【発明を実施するための最良の形態】
【０００８】
以下、図面を参照して、この発明の一実施形態について説明する。  
図１は、この発明の一実施形態に係わる移動通信システムの構成を示すものである。この移動通信システムは、PHS(Personal Handyphone System)網ＮＷと、センタ装置１００と、基地局２０１〜２０ｎと、移動局３００とを備えている。なお、実際には、移動局は多数存在するが、説明を簡明にするために、以下の説明では１つだけ示す。
【０００９】
センタ装置１００は、基地局通信部１０１〜１０ｎと、網通信部１１０と、位置情報記憶部１２０と、基地局情報記憶部１３０と、制御部１４０とを備える。  
基地局通信部１０１〜１０ｎは、制御部１４０からの指示にしたがって、それぞれ対応する基地局２０１〜２０ｎと通信するものである。  
網通信部１１０は、制御部１４０からの指示にしたがって、PHS網ＮＷと通信するものである。
【００１０】
位置情報記憶部１２０は、制御部１４０からの指示にしたがって、図２に示すように、移動局３００の識別情報（移動局ＩＤ）に、移動局３００の現在の位置情報と、過去（現在の位置にハンドオーバする前）の位置情報を記憶するものである。これらの位置情報としては、例えば、基地局２０１〜２０ｎの識別情報（基地局ＩＤ）が用いられる。
【００１１】
基地局情報記憶部１３０は、図３に示すように、基地局２０１〜２０ｎについて、それぞれ種々の制御情報を記憶する。制御情報は、基地局の識別情報（基地局ＩＤ）、基地局の形式（従来通信方式型、次世代通信方式対応型の別）、制御チャネル番号（Ｎ−ＣＨ１やＣＨ１など）および変調方式（Ｎ方式やＡ方式など）などからなる。
【００１２】
制御部１４０は、当該センタ装置１００の各部を統括して制御するものである。例えば、制御部１４０は、移動局３００に位置情報を管理する。すなわち、制御部１４０は、基地局２０１〜２０ｎおよび基地局通信部１０１〜１０ｎを通じて、移動局３００から位置登録要求を受信すると、この要求に含まれる基地局（２０１〜２０ｎのいずれか）の識別情報と、移動局３００の識別情報を対応づけて、位置情報記憶部１２０に記録する。それまでに移動局３００の識別情報に対応づけられていた位置情報は、過去の位置情報として位置情報記憶部１２０に記録する。
【００１３】
また制御部１４０は、基地局２０１〜２０ｎに無線接続する移動局３００を、基地局２０１〜２０ｎ、基地局通信部１０１〜１０ｎおよび網通信部１１０を介して、PHS網ＮＷに接続したり、網通信部１１０がPHS網ＮＷから移動局３００に宛てた着信信号を受信した場合には、位置情報記憶部１２０に記憶される情報に基づいて移動局３００の位置を特定し、移動局３００が位置登録される基地局（２０１〜２０ｎのいずれか）を通じて上記着信信号を送信するように基地局通信部（１０１〜１０ｎのいずれか）を制御する。
【００１４】
さらに制御部１４０は、図４に示すような予測テーブルを記憶している。この予測テーブルは、移動局３００のハンドオーバの経緯から、移動（ハンドオーバ）先となる基地局を予測するために用いるものであり、過去の統計などに基づいて予め準備される。
【００１５】
例えば、図４に示すように、現在の位置情報ＮＧＰ−ＣＳ１、過去の位置情報ＮＧＰ−ＣＳ３に、ＮＧＰ−ＣＳ２、PHS−ＣＳ１が対応づけられる場合、基地局ＮＧＰ−ＣＳ３から基地局ＮＧＰ−ＣＳ１の延長線方向に、基地局ＮＧＰ−ＣＳ２や基地局PHS−ＣＳ１が存在する。
【００１６】
そして制御部１４０は、基地局２０１〜２０ｎからそれぞれ対応する基地局通信部１０１〜１０ｎを通じて、移動局３００についてのハンドオーバの要求を受け付けると、位置情報記憶部１２０が記憶する情報と、上記予測テーブルに基づいて、移動局３００のハンドオーバ先となる基地局の候補をリストアップする。
【００１７】
このようにして候補リストを作成すると、制御部１４０は、候補リストに含まれる基地局に関する制御情報を基地局情報記憶部１３０から読み出し、この読み出した情報を上記候補リストに付加する。そして、制御部１４０は、対応する基地局通信部（１０１〜１０ｎのいずれか）を制御して、上記候補リストを移動局３００についてのハンドオーバの要求を受け付けた基地局（２０１〜２０ｎのいずれか）に通知する。
【００１８】
基地局２０１〜２０ｎは、センタ装置通信部２１０と、記憶部２２０と、移動局通信部２３０と、制御部２４０とを備える。なお、基地局２０１〜２０ｎは、従来より既に運用されている通信方式を採用するタイプと、今後採用される次世代型の高速通信方式を採用するタイプが存在するが、通信方式が異なるだけで基本的な構成要素は同じである。
【００１９】
次世代型の基地局は、それぞれ次世代型の基地局と通信する通信手段を有する（図示しない）。次世代型の基地局は、次世代型の基地局間でハンドオーバを行う場合は、上記通信手段を用いて相互に情報を交換して、スムーズなハンドオーバを実現する。その他、従来型の基地局と次世代型の基地局の差違の詳細については説明を省略する。
【００２０】
センタ装置通信部２１０は、制御部２４０からの指示にしたがって、センタ装置１００と有線回線を通じて通信するものである。  
記憶部２２０は、制御部２４０からの指示にしたがって、当該基地局の制御プログラムや制御データを記憶する他に、センタ装置１００から通知される候補リストを記憶するものである。  
移動局通信部２３０は、制御部２４０からの指示にしたがって、移動局３００と無線回線を通じて通信するものである。
【００２１】
制御部２４０は、記憶部２２０が記憶する制御プログラムおよび制御データに基づいて、当該基地局の各部を統括して制御するものであって、例えば、移動局通信部２３０を通じて無線接続される移動局３００を、センタ装置通信部２１０を制御してセンタ装置１００に接続したり、センタ装置１００から移動局３００宛ての着信信号をセンタ装置通信部２１０が受信した場合に、移動局通信部２３０を制御して、上記着信信号を移動局３００に無線送信させる。
【００２２】
また制御部２４０は、移動局通信部２３０が移動局３００から受信した信号の受信品質（ＳＩＲ（Signal to Interference noise Ratio）や受信電力レベルなど）や、移動局３００からの要求を監視して、移動局３００にハンドオーバを行う必要が発生したことを検出する。
【００２３】
このようにしてハンドオーバを行う必要を検出すると、制御部２４０は、センタ装置通信部２１０を制御してセンタ装置１００に、移動局３００についてハンドオーバを行う必要が生じたことを通知する。これに応じてセンタ装置通信部２１０がセンタ装置１００から候補リストを受信すると、制御部２４０は、受信した候補リストを記憶部２２０に記録する。そして、制御部２４０は、移動局通信部２３０を制御して、候補リストに含まれる基地局の情報を、ハンドオーバが成功するまで、１つずつ移動局３００に送信する。
【００２４】
移動局３００は、従来型の通信方式と、次世代型の高速通信方式の両方に対応するものであって、通信部３１０と、記憶部３２０と、制御部３３０とを備える。図示しないが、この他に、送話音声を入力するためのマイクロホンや、受話音声を拡声出力するためのスピーカ、種々の視覚的な情報を表示するための表示部、受信したデータを復号や、送信するデータを符号化するデータ処理部などを備える。
【００２５】
通信部３１０は、従来型の通信方式による無線通信と、次世代型の高速通信方式による無線通信の両方が可能で、制御部３３０の指示にしたがって、いずれか一方の通信方式を選択的に用いて、基地局２０１〜２０ｎと無線通信するものである。
【００２６】
記憶部３２０は、当該移動局３００の制御プログラムや制御データを記憶する他に、制御部３３０からの指示にしたがって、基地局を通じてセンタ装置１００から通知される候補リストを記憶するものである。
【００２７】
制御部３３０は、当該移動局３００の各部を統括して制御するものであって、例えば、通信部３１０を制御して、基地局（２０１〜２０ｎのいずれか）およびセンタ装置１００を介して、定期的に位置登録要求を行ったり、PHS網ＮＷを通じた通信を行う。
【００２８】
また制御部３３０は、基地局から受信した信号の電力レベルを検出し、このレベルが予め設定した閾値を下回った場合に、基地局に対してハンドオーバの要求を行う。具体的には、制御部３３０は、通信部３１０を制御して、上記要求を示す情報を無線送信する。この要求に応じて、基地局からハンドオーバの候補リストを受信すると、これを記憶部３２０に記録する。
【００２９】
候補リストには、制御情報として、基地局の識別情報（基地局ＩＤ）、基地局のタイプ（従来型、次世代対応型の別）、制御チャネル番号（Ｎ−ＣＨ１やＣＨ１など）および変調方式（Ｎ方式やＡ方式など）などの情報が含まれており、これに基づいて、制御部３３０は、通信部３１０を制御して、センタ装置１００から指示される基地局にハンドオーバを行う。ハンドオーバに失敗した場合には、制御部３３０は、通信部３１０を制御して、その旨を基地局に対して通知し、次のハンドオーバの候補となる基地局についての情報を取得する。
【００３０】
次に、上記構成の移動通信システムの動作について説明する。以下の説明では、図５を参照して、この発明に係わるハンドオーバについての制御について説明する。ここでは、上述した基地局２０１〜２０ｎに、次世代型の通信方式を採用する基地局ＮＧＰ−ＣＳ１、ＮＧＰ−ＣＳ２、ＮＧＰ−ＣＳ３と、従来型の通信方式を採用する基地局PHS−ＣＳ１とが存在し、移動局３００として移動局ＰＳが存在する。
【００３１】
この移動通信システムでは、移動局ＰＳが通信を開始する以前に、位置登録要求として定期的に自己の移動局ＩＤを送信している。例えば基地局ＮＧＰ−ＣＳ１が上記位置登録要求を受信すると、基地局ＮＧＰ−ＣＳ１は、受信した位置登録要求に含まれる移動局ＰＳの移動局ＩＤと、自己の基地局ＩＤとを含む位置登録要求をセンタ装置１００に送信する。
【００３２】
そして、これを受信したセンタ装置１００は、制御部１４０が既に位置情報記憶部１２０に記録される情報を参照し、移動局ＰＳの現在の位置情報が、上記基地局ＮＧＰ−ＣＳ１の基地局ＩＤと一致しない場合には、位置情報の更新処理を行う。すなわち、この時点で移動局ＰＳの現在の位置情報として記憶する基地局ＩＤを過去の位置情報として位置情報記憶部１２０に記録するとともに、移動局ＰＳの現在の位置情報として、上記基地局ＮＧＰ−ＣＳ１の基地局ＩＤを登録する。なお、移動局ＰＳの現在の位置情報が、基地局ＮＧＰ−ＣＳ１の基地局ＩＤと一致する場合には、上述のような更新処理は行わない。
【００３３】
（シーケンスＳ５０１）  
移動局ＰＳは、基地局ＮＧＰ−ＣＳ１と次世代型の通信方式により通信している。  
（シーケンスＳ５０２）  
やがて移動局ＰＳが基地局PHS−ＣＳの方向に移動するなどして、基地局ＮＧＰ−ＣＳ１の制御部２４０が受信品質（ＳＩＲ）の劣化を検出する。すると、基地局ＮＧＰ−ＣＳ１の制御部２４０は、PHS網ＮＷを通じた移動局ＰＳの通信相手との間の通信リンクを保持したまま、シーケンスＳ５０３に移行する。
【００３４】
（シーケンスＳ５０３）  
基地局ＮＧＰ−ＣＳ１の制御部２４０は、センタ装置通信部２１０を制御して、センタ装置１００に、移動局ＰＳの移動局ＩＤと基地局ＮＧＰ−ＣＳ１の基地局ＩＤとを含むＨＯ（ハンドオーバ）候補要求を送信して、移動局ＰＳにハンドオーバを行う必要が生じたことを通知する。
【００３５】
（シーケンスＳ５０４）  
これに対してセンタ装置１００では、制御部１４０が、上記ＨＯ候補要求に含まれる基地局ＩＤと移動局ＩＤを検出し、この基地局ＩＤと、位置情報記憶部１２０に記録される移動局ＰＳの現在の位置情報とを比較する。そして制御部１４０は、両者が一致しない場合には、位置情報記憶部１２０に記録される移動局ＰＳの位置情報を更新する更新処理を実施する。一致する場合は、更新処理は行わない。
【００３６】
その後、制御部１４０は、位置情報記憶部１２０が記憶する移動局ＰＳの現在の位置情報と過去の位置情報とに基づいて、図４に示した予測テーブルを参照して、移動局ＰＳの移動方向を推定し、これに基づいて移動局ＰＳのハンドオーバ先となる基地局の候補をリストアップする。ここで図４に示す例では、移動局ＰＳについて位置情報記憶部１２０に記憶される情報として、現在の位置情報がＮＧＰ−ＣＳ１であり、過去の位置情報がＮＧＰ−ＣＳ３の場合には、上記予測テーブルから第１候補としてＮＧＰ−ＣＳ２を、第２候補としてPHS−ＣＳ１をリストアップする。同様にして、第３候補以降もリストアップする。
【００３７】
（シーケンスＳ５０５）  
センタ装置１００において、制御部１４０が、シーケンスＳ５０４でリストアップした候補リストに含まれる基地局に関する制御情報を基地局情報記憶部１３０から読み出し、この読み出した情報を上記候補リストに付加する。そして、制御部１４０は、対応する基地局通信部（１０１〜１０ｎのいずれか）を制御して、上記候補リストを移動局ＰＳのハンドオーバの要求を受け付けた基地局ＮＧＰ−ＣＳ１に通知する。これに対して基地局ＮＧＰ−ＣＳ１は、上記候補リストを受信し、これを制御部２４０が記憶部２２０に記録する。
【００３８】
（シーケンスＳ５０６）  
基地局ＮＧＰ−ＣＳ１では、記憶部２２０に記録した候補リストから第１候補の情報を読み出し、移動局通信部２３０を制御して、読み出した第１候補の情報を移動局ＰＳに送信する。上記第１候補の情報としては、基地局ＮＧＰ−ＣＳ２の基地局ＩＤと、基地局ＮＧＰ−ＣＳ２の形式（次世代対応型）、使用する制御チャネル番号（Ｎ−ＣＨ１）および変調方式（Ｎ方式）が含まれる。これに対して移動局ＰＳでは、制御部３３０が通信部３１０を制御して、上記情報を受信し、記憶部３２０に記録する。
【００３９】
（シーケンスＳ５０７）  
そして移動局ＰＳでは、制御部３３０が、シーケンスＳ５０６で受信した情報に基づいて通信部３１０を制御して、基地局ＮＧＰ−ＣＳ２に対して、ハンドオーバのための接続を要求する。すなわち、移動局ＰＳは、次世代の通信方式により、ハンドオーバのための接続を要求する。
【００４０】
（シーケンスＳ５０８）  
これに対して基地局ＮＧＰ−ＣＳ２では、制御部２４０が、移動局ＰＳから受信した信号の受信品質（ＳＩＲ）や自己の回線使用状況を検出し、この検出結果に基づいて、ハンドオーバを受け付けられる状況にあるかを判定する。なお、ここでは、移動局ＰＳにチャネルを割り当てられないと判定したものとする。
【００４１】
（シーケンスＳ５０９）  
基地局ＮＧＰ−ＣＳ２では、チャネル割り当てが行えないものとシーケンスＳ５０８で判定したため、制御部２４０は、移動局通信部２３０を制御して、シーケンスＳ５０７の要求を拒否する応答（ＨＯ−ＮＡＣＫ）を移動局ＰＳに送信する。
【００４２】
（シーケンスＳ５１０）  
移動局ＰＳでは、シーケンスＳ５０９で基地局ＮＧＰ−ＣＳ２からＨＯ−ＮＡＣＫを受信したため、制御部３３０が通信部３１０を制御して、基地局ＮＧＰ−ＣＳ１に対して、基地局ＮＧＰ−ＣＳ２と通信リンクが確立できなかった旨を通知し、次のハンドオーバ先の候補の情報を要求する。
【００４３】
（シーケンスＳ５１１）  
基地局ＮＧＰ−ＣＳ１では、移動局ＰＳから次のハンドオーバ先の候補の情報を要求されると、制御部２４０が記憶部２２０に記録した候補リストから第２候補の情報を読み出し、移動局通信部２３０を制御して、読み出した第２候補の情報を移動局ＰＳに送信する。上記第２候補の情報としては、基地局PHS−ＣＳ１の基地局ＩＤと、基地局PHS−ＣＳ１の形式（従来型）、使用する制御チャネル番号（ＣＨ１）および変調方式（Ａ方式）が含まれる。これに対して移動局ＰＳでは、制御部３３０が通信部３１０を制御して、上記情報を受信し、記憶部３２０に記録する。
【００４４】
（シーケンスＳ５１２）  
そして移動局ＰＳでは、制御部３３０が、シーケンスＳ５１１で受信した情報に基づいて通信部３１０を制御して、基地局PHS−ＣＳ１に対して、ハンドオーバのための接続を要求する。すなわち、移動局ＰＳは、従来の通信方式により、ハンドオーバのための接続を要求する。
【００４５】
（シーケンスＳ５１３）  
これに対して基地局PHS−ＣＳ１では、制御部２４０が、移動局ＰＳから受信した信号の受信品質（ＳＩＲ）や自己の回線使用状況を検出し、この検出結果に基づいて、ハンドオーバを受け付けられる状況にあるかを判定する。なお、ここでは、移動局ＰＳにチャネルを割り当てられると判定したものとする。
【００４６】
（シーケンスＳ５１４）  
基地局PHS−ＣＳ１では、チャネル割り当てが行えるものとシーケンスＳ５１３で判定したため、制御部２４０は、移動局通信部２３０を制御して、シーケンスＳ５１２の要求を受け入れる応答（ＨＯ−ＡＣＫ）を送信する。
【００４７】
（シーケンスＳ５１５）  
基地局PHS−ＣＳ１と移動局ＰＳは、所定（従来型）の手順に従って接続処理を実施して、通信リンクを確立する。すなわち、基地局PHS−ＣＳ１では、制御部２４０が移動局通信部２３０を制御して移動局ＰＳと通信し、一方、移動局ＰＳでは、制御部３３０が通信部３１０を制御して基地局PHS−ＣＳ１と通信し、通信リンクを確立する。
【００４８】
（シーケンスＳ５１６）  
そして、移動局ＰＳは、ハンドオーバ先の基地局PHS−ＣＳ１と通信リンクが確立すると、制御部３３０が通信部３１０を制御して、ハンドオーバ前の基地局ＮＧＰ−ＣＳ１に対して、基地局PHS−ＣＳ１と通信リンクが確立した旨を通知する。
【００４９】
（シーケンスＳ５１７）  
移動局ＰＳから通知を受けた基地局ＮＧＰ−ＣＳ１では、制御部２４０はセンタ装置通信部２１０を制御して、センタ装置１００を介し基地局PHS−ＣＳ１に対して、移動局ＰＳのハンドオーバを行う旨を通知し、保持していた移動局ＰＳの通信相手との間の通信リンクを、基地局PHS−ＣＳ１に渡す。これに対して基地局PHS−ＣＳ１では、制御部２４０が渡された上記通信リンクを保持する。そして、基地局ＮＧＰ−ＣＳ１の制御部２４０は、移動局通信部２３０を制御して、移動局ＰＳとの無線通信リンクを切断する。
【００５０】
（シーケンスＳ５１８）  
そして、通信リンクが渡された基地局PHS−ＣＳ１では、制御部２４０が、シーケンスＳ５１５で移動局ＰＳと確立した通信リンクと、シーケンスＳ５１７で基地局ＮＧＰ−ＣＳ１から渡された通信リンクとを接続し、ハンドオーバを完了する。
【００５１】
なお、次世代型の基地局と、従来型の基地局との間でハンドオーバを行う場合には、センタ装置１００を介して、上記シーケンスＳ５１７およびＳ５１８の手順に従い、ハンドオーバを行う。一方、次世代型の基地局間でハンドオーバを行う場合は、次世代型の基地局間を結ぶ回線を通じて相互に情報を交換して、スムーズなハンドオーバを実現する。
【００５２】
以上のように、上記構成の移動通信システムでは、移動局３００にハンドオーバの必要が生じると、センタ装置１００が移動局３００の現在の位置情報と過去の位置情報に基づいて移動局３００の移動方向を推定してハンドオーバの可能性が高い基地局の候補リストを作成し、これをハンドオーバする前に接続していた基地局ＮＧＰ−ＣＳ１に送信する。  そして、これを受信した基地局ＮＧＰ−ＣＳ１は、候補リストを保持し、優先順位の高い候補基地局を１つだけ移動局３００に通知し、移動局３００は通知された候補基地局に対してハンドオーバの要求を行う。そして、その要求が候補基地局に受け入れられれば、その候補基地局にハンドオーバし、上記要求が受け入れられなければ、別の候補基地局の情報を、再び基地局ＮＧＰ−ＣＳ１から取得して、ハンドオーバを試みるようにしている。
【００５３】
したがって、上記構成の移動通信システムによれば、移動局は、ハンドオーバの可能性が高い基地局がセンタ装置１００から通知され、自律してハンドオーバの候補となる基地局を複数探索しその結果を比較する必要がないので、ハンドオーバに費やす時間と電力を軽減することができる。
【００５４】
また、（背景技術）の項で述べた特許文献１では、基地局から通知される周辺基地局リストと、基地局毎の受信品質情報をメモリに記憶して管理する必要があるが、上記構成の移動通信システムでは、移動局３００はこのようなデータ管理を行う必要はなく、またこのような大量のデータを記憶しておく必要もないので、制御部３３０はデータ管理にリソースを費やす必要もなく、また記憶部３２０の記憶容量も少なくて済み、移動局３００の製造コスト削減に寄与する。
【００５５】
さらに、センタ装置１００が、移動局３００の移動方向を推定して、ハンドオーバの可能性が高い基地局を絞り込むようにしているので、移動局３００はハンドオーバが成功する確度が高く、ハンドオーバに費やす時間と電力を軽減することができ、またシームレスなハンドオーバを容易にする。
【００５６】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００５７】
その一例として例えば、上記実施の形態では、ハンドオーバする前に接続していた基地局ＮＧＰ−ＣＳ１がハンドオーバの候補となる候補基地局を１つずつ移動局３００に通知するようにしていたが（シーケンスＳ５０５、Ｓ５１１）、これに代わって例えば、一度に、候補リストを移動局３００に通知するようにし、移動局３００は、その候補リストに含まれる基地局について順にハンドオーバの要求を行い、ハンドオーバが受け入れられ次第、ハンドオーバを実行するようにしてもよい。このような構成であっても、移動局３００が多数の基地局を探索し、その結果を比較する必要が無く、受け入れられ次第ハンドオーバが実行されるので、短時間で消費電力を節約してハンドオーバを行うことができる。
【００５８】
また上記実施の形態では、センタ装置１００の制御部１４０は、位置情報のみに基づいて、候補リストの優先順位を決定するようにしていたが、ハンドオーバ前に行っていた通信方式を考慮して、優先順位を決定するようにしてもよい。すなわち、次世代の通信方式により高速通信を行っていた移動局３００にハンドオーバを行う必要が発生した場合には、従来の通信方式の基地局よりも次世代の通信方式の基地局の優先順位を高くした候補リストを作成する。このような制御を行うことにより、ハンドオーバによって通信速度が低下することを防止できる。
【００５９】
また上記実施の形態では、移動局３００の位置情報を位置登録を行った基地局単位で管理するようにしていたが、これに代わって例えば、移動局３００が自律的にGPS(Global Positioning System)測位を行って位置情報を検出したり、複数の基地局が移動局３００から送信される無線信号の強度を測定し、その強弱関係から移動局３００の位置を推定する。そして、このようにして測定した位置情報をセンタ装置１００が管理し、ハンドオーバを行う場合に、上記管理している位置情報に基づいて、候補リストを作成するようにしてもよい。このような位置情報に基づいて候補リストを作成すれば、より正確にハンドオーバ先の基地局を候補として挙げることができ、より正確に通信に適した基地局にハンドオーバすることができる。
【００６０】
そしてまた、上記実施の形態では、移動局３００にハンドオーバの必要が生じた場合に、センタ装置１００が候補リストを基地局を通じて移動局３００に送信するようにしたが、移動局３００にハンドオーバの必要が生じる前に、定期的に候補リストを移動局３００に送信するようにしてもよい。
【００６１】
これによれば、移動局が基地局と突然通信が行えない状況に陥っても、それ以前にセンタ装置１００から取得しておいた候補リストにしたがって、ハンドオーバ先の基地局にハンドオーバの要求を行える。  
その他、この発明の要旨を逸脱しない範囲で種々の変形を施しても同様に実施可能であることはいうまでもない。
【図面の簡単な説明】
【００６２】
【図１】この発明に係わる移動通信システムの一実施形態の構成を示す回路ブロック図。
【図２】図１に示したセンタ装置の位置情報記憶部に記憶される情報の一例を示す図。
【図３】図１に示したセンタ装置の基地局情報記憶部に記憶される情報の一例を示す図。
【図４】図１に示したセンタ装置の制御部に記憶される予測テーブルの一例を示す図。
【図５】図１に示した移動通信システムのハンドオーバ時の動作を説明するためのシーケンス図。
【符号の説明】
【００６３】
ＮＷ…ＰＨＳ網、１００…センタ装置、１０１…基地局通信部、１１０…網通信部、１２０…位置情報記憶部、１３０…基地局情報記憶部、１４０…制御部、２０１〜２０ｎ…基地局、２１０…センタ装置通信部、２２０…記憶部、２３０…移動局通信部、２４０…制御部、３００…移動局、３１０…通信部、３２０…記憶部、３３０…制御部。
【図１】
2008227760.tif 000003
【図２】
2008227760.tif 000004
【図３】
2008227760.tif 000005
【図４】
2008227760.tif 000006
【図５】
2008227760.tif 000007